(57)【特許請求の範囲】
【請求項１】
プロセッサと、複数の外的表面に視覚物を有する複数のボディ部と、を有し、各ボディ部の外側表面によって一の面に形成された前記視覚物の組み合わせを、前記プロセッサによってチェックするベースステーションであって、
前記プロセッサとともに前記各ボディ部の向きと位置を検出するために用いる当該各ボディ部に設けられた一の手段と、
少なくとも課題の一部がプリントされており、前記プロセッサによってアクセスされ、前記課題に対する回答のルールに関する前記プロセッサへの命令、及び、前記課題に対する回答が記憶されるメモリと前記プロセッサへの命令及び前記課題に対する何れかの回答を前記プロセッサに送信する少なくとも一の通信手段とを有する視覚手段と、
を更に有し、
前記プロセッサが
前記視覚手段にプリントされた少なくとも課題の一部ととともに前記メモリに記憶された命令に基づいて課題の提供を指示し、
前記ボディ部における前記視覚物の組み合わせによって少なくとも所定の一の面に形成された回答と、前記メモリから送信された前記課題に対する回答と、に基づいて前記課題に対する回答が正解か不正解をチェックすることを特徴とするベースステーション。
【請求項２】
請求項１に記載のベースステーションにおいて、
前記視覚手段が、本または図版（ｐｌａｔｅ）であって、当該本または図版（ｐｌａｔｅ）がベースステーションに対して着脱可能に固定されることを特徴とするベースステーション。
【請求項３】
請求項２に記載のベースステーションにおいて、
前記本が、少なくとも一部の前記課題を含むページを有し、
前記本が、ユーザによってページが開かれていることを検出するための前記プロセッサと協働する検出手段を有することを特徴とするベースステーション。
【請求項４】
請求項３に記載のベースステーションにおいて、
前記検出手段が、前記プロセッサと通信する送信機を少なくとも有することを特徴とするベースステーション。
【請求項５】
請求項１〜４の何れか１項に記載のベースステーションにおいて、
前記ベースステーションが、前記ボディ部を置くことが可能なホルダーを有することを特徴とするベースステーション。
【請求項６】
請求項５に記載のベースステーションにおいて、
前記ホルダーが、前記ベースステーションに着脱可能に固定されていることを特徴とするベースステーション。
【請求項７】
請求項５または６に記載のベースステーションにおいて、
前記ホルダーが、当該ホルダーに置かれた前記各ボディ部を識別し、当該各ボディ部の向きを識別するための、当該ボディ部の手段と協働する手段を有し、
前記ボディ部の上面によって定義される少なくとも一の面におけるそれぞれの当該ボディ部における外側表面上の視覚物の組み合わせが、前記ホルダーを用いて前記プロセッサと通信することを特徴とするベースステーション。
【請求項８】
請求項１〜７の何れか１項に記載のベースステーションにおいて、
前記通信手段が、前記メモリと前記プロセッサ間を接続するための無線接続、または、バスであることを特徴とするベースステーション。
【請求項９】
プロセッサと、複数の外的表面に視覚物を有する複数のボディ部と、を有し、各ボディ部の外側表面によって一の面に形成された前記視覚物の組み合わせを、前記プロセッサによってチェックする、請求項１〜８のいずれか１項に記載されたベースステーションに用いられ、少なくとも課題の一部がプリントされた視覚手段であって、
前記プリントされた課題の一部を用いて前記プロセッサによって前記課題を提供する際の当該プロセッサへの命令と、前記視覚物の組み合わせが前記プロセッサによって提供された課題に対する回答として正しいか否かをチェックするために用いられる回答と、が記憶された前記プロセッサによってアクセスされるメモリと、
前記プロセッサへの命令及び前記課題に対する回答を前記プロセッサに送信する少なくとも一の通信手段と、
備える視覚手段。
【発明の詳細な説明】
【技術分野】
【０００１】
本発明は、プロセッサと、ボディ部とを有し、複数の視覚物（ｖｉｓｕａｌｉｚａｔｉｏｎ）の組み合わせを異なるボディ部の複数の外側表面を用いて少なくとも一面に形成することができるように、各ボディ部が複数の外側表面に視覚されたもの（ｖｉｓｕａｌｉｚａｔｉｏｎ）を有するベースステーションに関する。
【背景技術】
【０００２】
このようなベースステーションは、それ自体がオランダ特許ＮＬ−１，０２８，４３５号公報（特許文献１）によって知られている。その特許公報の図５は、ストレージボックス形状を有するベースステーションを示す。そのストレージボックスは、比較的インテリジェントなボディ部に、例えば、新たな視覚物（ｖｉｓｕａｌｉｚａｔｉｏｎ）など、新たな情報を提供するためのプロセッサを有している。
【０００３】
このため、カード形状またはブロック形状のボディ部のタイプに無関係に、当該ボディ部の外側表面を用いて視覚物（ｖｉｓｕａｌｉｚａｔｉｏｎ）の多くの組み合わせを作成することができるようになっている。
【先行技術文献】
【特許文献】
【０００４】
【特許文献１】オランダ特許ＮＬ−１，０２８，４３５号公報
【発明の概要】
【発明が解決しようとする課題】
【０００５】
このように、ストレージボックスの比較的シンプルなプロセッサは、特に、記憶媒体からボディ部にデータを伝送するために用いられ、また、ディスプレイ上に伝送状態を示すために用いられることが可能となっている。ボディ部のそれ自体の各プロセッサによってボディ部の視覚物（ｖｉｓｕａｌｉｚａｔｉｏｎ）によって形成される組み合わせをチェックするので、それらのプロセッサにおいては、その視覚物（ｖｉｓｕａｌｉｚａｔｉｏｎ）によって形成される組み合わせをチェックすることはできない。
【０００６】
オランダ特許ＮＬ−１，０２８，４３５号公報によって知られるボディ部は、当該ボディ部が、例えば、音またイメージなどの、ボディ部の視覚物とともに形成される組み合わせにおける刺激を、ユーザに同時に提供するように、設計されている。この文字の形状は、このようなインテリジェントなボディの製造コストを比較的高くする。
【０００７】
また、教訓的な見地から、ボディ部内における刺激の出力が一体化されているため、刺激がユーザにいつも十分に伝達されず、混同されることが知られている。特に、比較的若いユーザにおいて、それは問題となる。
【０００８】
したがって、本発明の目的は、教訓的に改良された方法において刺激を発生する比較的堅牢なベースステーションを提供することである。
【課題を解決するための手段】
【０００９】
本発明の目的は、各ボディ部内に特別な組み合わせで使用される当該各ボディ部の、向きと位置の確認をプロセッサができるようにする少なくとも１つの手段を備えるベースステーションによって達成する。
【００１０】
また、ベースステーションは、少なくとも課題の一部が印刷された視覚手段を有し、その視覚手段は、前記課題に対する何れかの回答をそのプロセッサに伝達する少なくとも一の通信手段を有する。少なくとも予め定められた一の面においてボディ部の外側表面上に形成された視覚物の組み合わせを用いることによって形成された回答から、少なくとも一の課題の実行を、そのプロセッサを用いてチェックすることができるようになっている。
【００１１】
例えば、本などの印刷された視覚手段は、教訓的に証明された理由によって昔から子どもの教育で用いられている。図や課題を有する本または印刷された図版（Ｐｌａｔｅ）は、その課題を確認することができないので、ユーザとのわずかな双方向性しかなく、または、ユーザとの双方向性が全くない。
【００１２】
本発明は、ボディ部と別々に印刷されており、部分的なまたは完全な視覚的な課題を伝達する視覚手段を有する。部分的なまたは想定可能な完全な課題は、ベースステーションによって、触感的、聴感的または触感的及び聴感的な方法において、追加的にサポートされる。このような課題は、ボディ部、好ましくはブロックを用いて実行されるとともに、ボディ部を用いて形成された回答は、ベースステーション内のそのプロセッサによって確認される。
【００１３】
このように、ユーザ、特に、子供には、ボディ部を用いることによって対話型のベースステーションが提供される。このステーションは、言語または算術の問題を教育的な方法において扱うことを可能にする。ここで、本発明におけるベースステーションの双方向性は、課題の一部が視覚手段によって例えば図画の形式で表現されるステップから構成される。
【００１４】
そして、ベースステーションは、少なくとも一つの回答がある図画における補助的な質問を行ってもよい。回答は、例えばＵＳＢ（Ｕｎｉｖｅｒｓａｌ  Ｓｅｒｉａｌ  Ｂｕｓ）や無線のブルートゥースリンクなどの通信手段によってそのプロセッサに転送される。一旦、そのプロセッサが特定の面におけるボディ部を用いて明確にされた正解または不正解の回答を検出すると、ベースステーションは、光を用いて視覚的に、聴覚的に、または、その双方によって回答における反応を実行することができる。
【００１５】
ベースステーションは、子供における使用には十分に堅牢であり、例えば、比較的感度のよいコンピュータのスクリーンに比べて、課題を表示するための印刷された視覚手段とともに改良されている。
【００１６】
また、本発明のベースステーションは、教育的な環境や家の両方で、教育的で物理的なものとともに、例えばデスクトップやノートパソコンなどのコンピュータの使用を、これまで以上に強力に交代させることを目的としている。
【００１７】
オランダ特許１，０２８，４３５号公報において説明されたボディ部は、本発明のベースステーションにおいて用いることができる。その場合のボディ部のプロセッサは、当該ボディ部とともに形成された組み合わせを（付加的に）チェックする。しかしながら、例えば、本発明のベースステーションにおいてプロセッサがないボディ部など、好ましくは、あまりインテリジェントでないボディ部を用いることができる。
【００１８】
このようなプロセッサがないボディ部は、より堅牢で一般的に長期間の使用に耐え得る。さらに、プロセッサがないボディ部は、バッテリーなどが要求されない。ユーザとベースステーションの双方向性を実現するプロセッサは、本発明のベースステーションに組み込まれている。
【００１９】
そして、このベースステーションは、再充電可能なバッテリーなどのエネルギー源が提供され、または、主電源に接続することができる。特に、本発明の対話型ベースステーションは、子供向きであるが、例えば外国語や他の目的などの勉強する大人によって使用もされる。
【００２０】
特に好ましい本発明のベースステーションの実施形態は、視覚手段がベースステーションに着脱可能に固定される本または図版（ｐｌａｔｅ）であることを特徴とする。
【００２１】
このような種々の視覚手段は、本発明のベースステーションと互換性がある。視覚手段は、好ましくは、本である。また、図版（ｐｌａｔｅ）や当該図版にプリントされた図画を有する同じような物を本発明のベースステーションに使用することが可能である。
【００２２】
開いたページの課題、または、関連する図版（ｐｌａｔｅ）上の課題が終了した場合に、または、その他の理由で、ユーザが次のページの課題、または、次の図版（ｐｌａｔｅ）の課題を見る、実行する、または見て実行することを希望した場合に、ユーザは、本のページをめくることにより、または、新しい図版（Ｐｌａｔｅ）をベースステーションに固定することにより、本発明のベースステーションによって実行される過程で、本や着脱可能な図版を積極的に使用する。
【００２３】
本発明の単一のベースステーションとの組み合わせにより、複数の着脱可能な本や図版（ｐｌａｔｅ）を使用することが可能なので、一または同一のベースステーションを、幼児のために、幼児向けの本や図版（ｐｌａｔｅ）とともに用いることができるとともに、またそれだけでなく、例えば、１０歳の子供のために、その年齢向けの本や図版（ｐｌａｔｅ）を用いることができる。
【００２４】
ベースステーションのフレキシブル性は、一つのベースステーションで様々な本を使用することが可能になることによって、大幅に向上している。
【００２５】
本は、好ましくは、２ページ以上の課題を提供し、ユーザによって開かれたページを検出する（ベースステーションの）プロセッサと協働する検出手段を有する。前記検出手段は、好ましくは、例えば、ＩＤタグなど、そのプロセッサと通信する少なくとも一の送信機から形成される。ＲＦ−ＩＤタグは、比較的安価であり、その寿命は比較的長い。
【００２６】
さらに、本は、そのプロセッサがアクセスするメモリ、好ましくは、比較的に堅牢なフラッシュメモリを有する。このメモリは、課題と補足的な遊び方のルールが記憶されている。そのプロセッサは、このメモリに記憶された回答、及び、少なくとも一部に視覚的に表示された課題とともに追加的な指示にアクセスする。例えば、この指示は、場合によっては、少なくても課題に属する一の質問がプロセッサによって制御されたラウドスピーカを介して質問される。
【００２７】
ベースステーションは、好ましくは、ボディ部を置くことができるホルダーを有している。ホルダーは、ベースステーションに一体的に形成されていてもよく、着脱可能になっていてもよい。このような着脱可能なホルダーは、例えばブルートゥースを介する無線通信によって、ベースステーションのプロセッサと通信可能となっている。
【００２８】
したがって、ホルダーは、ユーザにとって安定的な位置に置かれる。そして、その位置は、本発明の双方向ベースステーションの使用中には、当該ベースステーションから離れた位置に置かれていてもよい。
【００２９】
ボディ部は、例えば、実質的に外側表面の各内側に形成されたパッシブなＩＤタグなどのホルダーと協働する手段を有してもよい。そのタグは、回答が形成されたことを検出することができる（ベースステーションの）プロセッサによってホルダーのボディ部が識別され、かつ、その外側表面の向きが認識されるように、ホルダー内の読取手段によって検出される。ホルダーによっては、外側表面の向きを検出するために、追加されたマグネットが外側表面の角の内側に提供されてもよい。
【００３０】
また、ボディ部は、ボディ部を識別するために、それぞれ、異なる磁力特性を有するマグネットを有してもよい。そして、読取手段に関するボディ部における磁力と単一の磁石の位置は、各ボディ部を検出し、また、ボディ部の向きを決定するために、そのプロセッサによって使用される。
【００３１】
また、特殊な磁力をボディ部の各外側表面に使用することも可能である。もし、ボディ部に単一の磁石のみ使用された場合には、少なくともホルダーによって部分的に包まれた一のボディ部を除く、全ての外側表面には、ボディ部の向きを確認するために、ホルダー内の読取手段と（ベースステーションの）プロセッサとを用いることが必要である。
【００３２】
また、少なくとも一の方向センサとともに、例えば、アクティブＲＦ−ＩＤタグなどの少なくとも一の送信機を用いることが可能である。その送信機は、方向センサによって決定されたボディ部の向きが送信機によって（ベースステーションの）プロセッサに送信されるように、当該プロセッサと通信を行う。
【発明を実施するための形態】
【００３３】
本発明の詳細について、以下に、実施形態と図１を参照しつつ説明する。なお、以下の実施形態は、限定されるべきではない。
【００３４】
図１は、本発明のベースステーション１００を示す。対話型ベースステーション１００は、図１に示された当該ベースステーション１００における筐体２の背面に配置された（図示しない）プロセッサを有している。
【００３５】
また、ベースステーション１００は、複数のブロック形状を有するボディ部１から形成されている。各ブロック形状のボディ部１は、６つの外側表面を有し、各ブロック形状のボディ部の最上部における外側表面３だけが図１に示されている。各ボディ部１の複数の外側表面には、例えば、「ｂ」、「ａ」または「ｌ」の文字などの視覚物（Ｖｉｓｕａｌｉｓａｔｉｏｎ）が形成されている。文字の組み合わせは、３つのボディ部１における複数の外側表面とともに形成され、例えば、「ｂａｌ」（「ｂａｌｌ」のオランダ語のスペル）を形成することができる。
【００３６】
各ボディ部１においては、プロセッサと協働し、形成された組み合わせに用いられる各ボディ部１の向きと位置を決定するための（図示しない）少なくとも１つの手段が存在する。例えば、このような手段は、ＲＦ−ＩＤタグを介してベースステーション１００のプロセッサと通信する方向センサ、または、ボディ部にあるプロセッサを介してベースステーション１００のプロセッサと通信する方向センサである。このようなボディ部の例は、ＮＬ−１．０２８．４３５号公報において知られている。
【００３７】
しかしながら、好ましくは、本願発明に係るベースステーション１００のボディ部１は、プロセッサを含まない。このようなシンプルなボディ部については、以下にさらに詳細に説明する。
【００３８】
また、ベースステーション１００は、着脱可能に固定されている本５を有している。本５は、複数のページ７、９とカバー１０を有している。図画１１、１３は、本５の複数のページ７、９に印刷されている。この図画１１、１３は、ブロック形状のボディ部１とともに実行される課題の一部を示す。本５のカバー１０は、ベースステーション１００の何れかのサイド上のガイド部材１５、１７を用いてベースステーション１００に固定される。
【００３９】
また、このベースステーション１００は、ラウドスピーカ２１のボリュームを調整するボリュームコントロール１９と、それぞれにボディ部１に配置可能な複数の仕切られた区画（Ｃｏｍｐａｒｔｍｅｎｔ）２５から形成されるホルダー２３と、を有している。
【００４０】
さらに、ベースステーション１００には、エネルギー効率の良いＬＥＤによって形成されたライティングユニット２７が形成されている。そして、本発明における複数のベースステーションが学校の授業で互いに妨害せずに使うことができるように、ヘッドホンジャック（図示しない）がベースステーション１００に形成されている。
【００４１】
本５は、ベースステーション１００のプロセッサへの命令と課題に対する回答が記憶されたフラッシュメモリ（図示しない）を有している。ベースステーション１００のプロセッサは、例えばＵＳＢ（Ｕｎｉｖｅｒｓａｌ  Ｓｅｒｉａｌ  ぶｓ）などのバス手段によって、または、例えばＳＤカードとカードリーダの接続などのメモリーカードタイプの接続によって、本５のメモリ内の課題に対する想定される回答を調べることができる。
【００４２】
本発明のベースステーション１００の操作は、以下の通りである。
【００４３】
図１に示される本５において、図画１１、１３は、ボディ部１の支援とともにユーザによって実行される課題の一部を示すものである。この課題は、前のページ上で与えられたプリントされた命令、または、質問の何れかがラウドスピーカ２１によってユーザに全て伝達される。
【００４４】
例えば、質問またはプリントされた命令は、「絵の中に見える物体は何ですか？」である。言葉として出力される質問を、本５のメモリに記憶されるとともに、ＵＳＢリンク３１を介してプロセッサに伝達することができる。
【００４５】
また、予め想定された回答を、ベースステーション１００のメモリ（図示しない）に伝送することができる。また、回答においては、ベースステーション１００のプロセッサを補助しつつ、本５のメモリ内において、チェックすることが可能となる。
【００４６】
例えば、図画７、９に示される物体の一つは、ボール３５である（図におけるオランダ語の「ｂａｌ」）。そして、ユーザは、３つのボディ部１を置くことによって、ホルダー２３内に回答「ｂａｌ」を形成する。
【００４７】
好ましくは、ボディ部１は、プロセッサと連携して形成された組み合わせに用いられた各ボディ部１の向きと位置を確かめるための複数の仕切られた区画２５と協働する手段（図示しない）を備える。
【００４８】
また、好ましくは、ボディ部１のそれぞれは、ベースステーション１００のプロセッサ手段によって構成された組み合わせとともに、ボディ部１の上面３の文字及び上面の向きを決定するように、区画２５内に読取手段（図示しない）と連携するための、各側面にパッシブなＲＦ−ＩＤタグと各側面の各角にマグネットを有している。
【００４９】
そして、ベースステーション１００は、ボディ部１によって形成された文字の組み合わせが、開いているページ７、９に属するものとして、本５のメモリから読み出された回答のリストと対応するか否かを決定する。好ましくは、本５のページ７、９は、ベースステーション１００のプロセッサと通信を行うそれらの中に組み込まれたＲＦ−ＩＤタグまたは想定される代替え識別手段を有する。ベースステーション１００は、開かれたページ７、９内のＲＦ−ＩＤタグから回答のリストを検出することが可能である。
【００５０】
ボディ部１によって形成された回答「ｂａｌ」におけるベースステーション１００のプロセッサによる登録と、プロセッサがアクセス可能な回答のリストに対する回答「ｂａｌ」のチェックは、例えば、回答が正解または不正解の場合には、本のメモリから適した音を再生することを可能にする。また、ＬＥＤ２７は、組み合わせが正しいが不完全の場合には青を点灯し、組み合わせが完全に正しい場合には、緑を点灯し、組み合わせが不正解の場合には、赤を点灯する。
【００５１】
プレイと命令のルールは、本５のメモリに記憶されており、ベースステーション１００内に記憶されていないので、無制限の数の本５をベースステーション１００とともに用いることができる。
【００５２】
言葉が、上面だけでなく、側面においても形成され、かつ、チェックされるように、文字は、ボディ部の外側表面３上だけでなく、他の表面にも形成される。合計することができるように、または、文字または音楽を作曲する音楽用のシンボル音楽などの代わりに数字及び算術演算子を用いることができる。また、複数のボディ部から寄せ集められた絵がボディ部上に示されてもよい。
【００５３】
さらに、有線によってホルダー２３とベースステーション１００のプロセッサ間における接続リンクを構成し、ベースステーション１００から取り外せることができるように、ホルダー２３をベースステーション１００に着脱可能に固定することも可能である。
【００５４】
ただし、ベースステーション１００から取り外した場合にユーザがホルダー２３を使い続けることができるように、好ましくは、接続リンクは無線手段によって構成されることが望ましい。そして、ボディ部、ホルダーまたはボディ部及びホルダーの手段によって形成されたボディ部の向き及び位置のデータは、本５の代わりに当該接続リンクを介してそのプロセッサに伝送される。例えば、図画がプリントされた合成樹脂プレート（図示しない）は、ベースステーション１００と連動し、視覚手段として用いることができる。
【図１】
0005385983.tif 000002